(57)【特許請求の範囲】
【請求項１】
ＤＴＭＦ信号によるＰＢダイヤル信号を用いて番号情報をユーザ端末から情報提供センターへ送出する際の盗聴を防止する方法において、
前記番号情報が通話路に送出される間に、情報提供センターから前記通話路へ送出する擾乱信号として、上記ＤＴＭＦ信号の低域群周波数及び高域群周波数のうちの一つの周波数をランダムに選択して用い、
前記擾乱信号の信号幅を、最初に受信して確認したＰＢダイヤル信号の信号幅に設定し、かつ、最初に受信して確認したＰＢダイヤル信号に続いて前記擾乱信号の送出を開始する
ことを特徴とするＰＢダイヤルの盗聴防止方法。
【請求項２】
ＤＴＭＦ信号によるＰＢダイヤル信号を用いて番号情報をユーザ端末から情報提供センターへ送出する際の盗聴を防止する方法において、
前記番号情報が通話路に送出される間に、情報提供センターから前記通話路へ送出する擾乱信号として、上記ＤＴＭＦ信号の低域群周波数及び高域群周波数のうちの一つの周波数をランダムに選択して用い、
受信するＰＢダイヤル信号を確認の都度、その後に送出する擾乱信号の信号幅をこのＰＢダイヤル信号幅に設定し、かつ、最初に受信して確認したＰＢダイヤル信号に続いて前記擾乱信号の送出を開始する
ことを特徴とするＰＢダイヤルの盗聴防止方法。
【請求項３】
ＤＴＭＦ信号によるＰＢダイヤル信号を用いて番号情報をユーザ端末から情報提供センターへ送出する際の盗聴を防止するシステムにおいて、
前記情報提供センターは、
前記番号情報が通話路に送出される間に、情報提供センターから前記通話路へ送出する擾乱信号として、上記ＤＴＭＦ信号の低域群周波数及び高域群周波数のうちの一つの周波数をランダムに選択して用い、
前記擾乱信号の信号幅を、最初に受信して確認したＰＢダイヤル信号の信号幅に設定し、かつ、最初に受信して確認したＰＢダイヤル信号に続いて前記擾乱信号の送出を開始する手段を備える
ことを特徴とするＰＢダイヤルの盗聴防止システム。
【請求項４】
ＤＴＭＦ信号によるＰＢダイヤル信号を用いて番号情報をユーザ端末から情報提供センターへ送出する際の盗聴を防止するシステムにおいて、
前記情報提供センターは、
前記番号情報が通話路に送出される間に、情報提供センターから前記通話路へ送出する擾乱信号として、上記ＤＴＭＦ信号の低域群周波数及び高域群周波数のうちの一つの周波数をランダムに選択して用い、
受信するＰＢダイヤル信号を確認の都度、その後に送出する擾乱信号の信号幅をこのＰＢダイヤル信号幅に設定し、かつ、最初に受信して確認したＰＢダイヤル信号に続いて前記擾乱信号の送出を開始する手段を備える
ことを特徴とするＰＢダイヤルの盗聴防止システム。
【発明の詳細な説明】
【技術分野】
【０００１】
本発明は、ＰＢ（Push Button）ダイヤルによるＤＴＭＦ（Dial Tone Multi-Frequency）信号を用いて暗証番号など、盗聴防止を要する番号情報を転送する際の安全性が容易に得られるＰＢダイヤルの盗聴防止方法及びその盗聴防止システムに関するものである。
【背景技術】
【０００２】
近年、電話機にはＰＢダイヤル機能が備わったものが多く、これを利用して公衆網を介し暗証番号などの番号情報を識別符号として受信して各種の情報を提供するサービスが行われている。例えば、コンサートチケットの予約、銀行のテレホンバンキングなどが一般的に普及してきている。
【０００３】
従来、このような通信用公衆網を利用した情報提供サービスでは、ユーザが電話端末からそれぞれの情報を提供する情報センターにその情報センターの電話番号をダイヤルして接続すると、例えば、情報センターから暗証番号を送信要求する旨のメッセージが送出される。このメッセージを聞いたユーザは、電話機のＰＢダイヤル機能によるＤＴＭＦ信号によって、自己の暗証番号を表わす数字符号などによる番号情報を送る。これを受けた情報センターは暗証番号を確認してユーザの情報を読み出して要求される情報メッセージを送出する。
【０００４】
しかしながら、ＤＴＭＦ信号による可聴周波数は、低域群と高域群とのそれぞれから一つずつ選択された二つの周波数を組み合わせたものである。このため、公衆網の加入者回線における盗聴等によりユーザが操作したＰＢダイヤルによる番号情報が、回線を転送されるＤＴＭＦ信号から判読されてしまう。テレホンバンキング等では暗証番号をＤＴＭＦ信号により認証する場合があるため、容易に暗証番号を知られる可能性がある。このような、ユーザに多大な不利益をもたらす電話サービスのため、公衆網等からの盗聴を防止する機能を有するシステムの必要性が大きい。
【０００５】
このような問題を解決するＰＢダイヤルの盗聴防止方法及びその盗聴防止システムとして、例えば、特開平６−２２０３７号公報（特許文献１）に開示された暗証番号秘話システムがある。
【０００６】
このシステムは、例えば図１３及び図１４を併せ参照すれば、情報提供センター１２０は、ユーザ端末１からの発呼を着呼で検出して情報提供の要求を受付け（手順Ｓ１０１）したのち、ユーザ端末１に音声信号で暗証番号の入力指示を促す案内を送出（手順Ｓ１０２）する。情報提供センター１２０は、ユーザ端末１から暗証番号を受ける前にＤＴＭＦ信号による擾乱信号を擾乱信号生成送信部１２１から公衆網３に送出（手順Ｓ１０３）すると共に、その擾乱信号を送信信号記憶部１２２に記憶する。ここで使用される擾乱信号は、ＰＢダイヤル信号を構成する低域群及び高域群それぞれから一つずつ選択された二つの周波数を組み合わせた周知のＤＴＭＦ信号である。
【０００７】
この結果、加入者回線４，５では、暗証番号のＰＢダイヤルによるＤＴＭＦ信号に、ＤＴＭＦ信号による擾乱信号が重畳され、盗聴を防止することができる。情報提供センター１２０では、ユーザ端末１からの暗証番号は、ＤＴＭＦ信号によりＤＴＭＦ信号受信部１２３で受信（手順Ｓ１０４のＹＥＳ）の際に、受信信号記憶部１２４に記憶され、ＰＢ信号検出部１２５により解読される。しかし、受信のＤＴＭＦ信号には、回り込みして暗証番号に重畳された擾乱信号が存在するので、ＰＢ信号検出部１２５は、送信信号記憶部１２２及び受信信号記憶部１２４それぞれに記憶された信号を比較し、送出した擾乱信号に基づいて受信したＤＴＭＦ信号から擾乱信号を除去してユーザ端末１から送出されたＰＢダイヤル信号を検出（手順Ｓ１０５）している。
【０００８】
しかしながら、このＰＢダイヤルの盗聴防止システムでは、擾乱信号とＰＢダイヤル信号とが重なり合った場合、擾乱信号によるＤＴＭＦ信号を除去した際に、二つの周波数のうちの一方又は両方が欠けてしまうという問題がある。このため、上記特許文献１では、情報提供センター１２０が、検出したＰＢダイヤル信号からの暗証番号を認識不能（手順Ｓ１０６のＮＯ）の場合、通話路への擾乱信号送出を停止（手順Ｓ１０７）し、ユーザ端末１へ音声信号により再送案内をメッセージ送出（手順Ｓ１０８）した後、擾乱信号生成送信部１２１に擾乱信号の再送を指示している。しかし、ＤＴＭＦ信号の組合せが少ない分、周波数が一致する機会は多く、再送の発生が多発することになる。このため、ユーザの操作を煩雑にさせるのみならず、情報提供センター１２０での処理が遅れるという問題がある。
【０００９】
【特許文献１】特開平６−２２０３７号公報
【発明の開示】
【発明が解決しようとする課題】
【００１０】
解決しようとする課題は、暗証番号などの安全性確保のため使用する擾乱信号の回り込みを除去する際、頻繁な再送が回避できない点である。
【課題を解決するための手段】
【００１１】
本発明は、ＰＢ（Push Button）ダイヤルによる暗証番号などの安全性確保のためにセンター側から送出される擾乱信号の回り込みを除去する際、再送を防止できることを目的とする。すなわち、本発明は、ＰＢダイヤルによるＤＴＭＦ（Dial Tone Multi-Frequency）信号を用いて暗証番号などの番号情報をユーザ端末から情報提供センターへ送出する際の盗聴を防止するために擾乱信号が用いられるが、その擾乱信号の回り込みにより発生する再送を回避する方法及びそのシステムに関する。
【００１２】
従って、本発明は、暗証番号などの番号情報がユーザ端末から通話路に送出される間に、情報提供センターから前記通話路へ送出する擾乱信号として、上記ＤＴＭＦ信号の低域群周波数及び高域群周波数の八つのＤＴＦ（Dial Tone Frequency：ダイヤルトーン周波数）のうちの一つをランダムに選択して用いることを主要な特徴としている。
【００１３】
このような構成により、一方では、公衆網において盗聴が容易な加入者回線で、両方向回線として一つ乃至三つの周波数によるＤＴＭＦが存在するので、ＰＢダイヤル信号の盗聴が非常に困難である。他方、情報提供センターでは、送出する擾乱信号が回り込みにより、暗証番号を示すＰＢダイヤル信号に重畳された場合でも、「２＋１」の周波数が重なり合ったデータからＰＢダイヤルによる低域群と高域群との二つの周波数部分の選択が確実かつ容易であり、ＰＢダイヤル信号の検出が正確かつ容易にできる。従って、受けたＤＴＭＦ信号からＰＢダイヤル信号が検出できずに再送要求されるという事態はほとんど発生しない。
【００１４】
更に、確実に盗聴を防止するため、周波数のランダム選択に加えて、前記擾乱信号の信号幅、すなわち信号長をランダムに設定して出力することが好ましい。また、前記擾乱信号の信号幅の設定を、固定のタイムスロットを予め設定してそのタイムスロット数をランダム設定することが、幅設定の単純化の上で好ましい。更に、ＰＢダイヤル信号の受信確認の都度、その後に送出する擾乱信号の信号幅をこのＰＢダイヤル信号幅に設定し、最初に受信して確認したＰＢダイヤル信号に続いて前記擾乱信号を送出開始することにより、擾乱信号幅のランダム設定を不要とするので、回路構成の更なる単純化を図ることができる。更に、最初に受信して確認したＰＢダイヤル信号の信号幅に設定して送出することにより一層の簡便化を図ることができる。また、ランダム設定された周波数を有する擾乱信号は、信号の休止間隙をおかず、連続して送出されることにより、送出タイミングの調整が不要であり、回路構成の簡略化に効果的である。
【００１５】
上述の具体的な情報提供センターの構成は、ＤＴＭＦ信号の低域群周波数及び高域群周波数の八つのＤＴＦから一つをランダムに選択して擾乱信号に形成する手段と、暗号情報など番号情報のＰＢダイヤルを送出要求したのち、前記擾乱信号を通話路へ送出する手段と、前記番号情報を含むＤＴＭＦ信号を受ける手段と、受けたＤＴＭＦ信号から前記擾乱信号を除去する際、低域群周波数及び高域群周波数のそれぞれから一つずつで一組を成す二つのＤＴＦに基づいてＰＢダイヤル信号を検出する手段と、を備えることである。
【００１６】
更に、前記形成する手段は、前記擾乱信号の信号幅をランダムに形成すること、又は、固定幅を有するタイムスロットを予め設定することにより前記擾乱信号の信号幅を前記タイムスロットのランダムな数により形成することができる。また、前記形成する手段は、前記検出する手段が最初に受信して確認したＰＢダイヤル信号の信号幅に前記擾乱信号の信号幅を設定すること又は前記検出する手段が受信してＰＢダイヤル信号を確認の都度当該ＰＢダイヤル信号の信号幅に前記擾乱信号の信号幅を設定することとし、また、前記送出する手段は、前記検出する手段が最初に受信して確認したＰＢダイヤル信号に続いて前記手段で形成された前記擾乱信号の送出を開始することができる。
【発明の効果】
【００１７】
本発明によるＰＢダイヤルの盗聴防止方法及びその盗聴防止システムは、通話路へ送出する擾乱信号として、ＤＴＭＦ信号の低域群周波数及び高域群周波数の八つの周波数のうちの一つをランダムに選択して用いている。このため、公衆網において盗聴が容易な加入者回線のような両方向回線では、一つ乃至三つのＤＴＦ（ダイヤルトーン周波数）によるＤＴＭＦが存在できるので、その中で通信されるＰＢダイヤル信号の盗聴は困難である。更に、送出した擾乱信号の回り込みを含むＤＴＭＦ信号でＰＢダイヤル信号を受ける情報提供センターでは、一つ乃至三つのＤＴＦから低域群周波数及び高域群周波数のそれぞれ四つのＤＴＦから一つずつ一組を成す二つのＤＴＦを、ＰＢダイヤル信号として、確実にかつ容易に検出できるので、その演算回路構成は簡素化されかつ再送要求の発生機会がほとんど発生しないという効果がある。
【００１８】
擾乱信号でランダムに設定されるものに、周波数のみならず、信号幅及び信号位置がある。しかし、その信号幅をタイムスロット数又は受信信号幅で限定し、また、信号位置を連続させて信号間隔を無くすことにより、その構成を簡略化できるという効果もある。
【発明を実施するための最良の形態】
【００１９】
暗証番号など番号情報の安全性確保のため使用する擾乱信号の回り込みを除去する際、ＰＢダイヤルによるＤＴＭＦ信号（以後、ＰＢ信号と略称する）が検出できないための再送を回避するという目的を、通話路へ送出する擾乱信号として、ＤＴＭＦ信号の低域群周波数及び高域群周波数の合計八つのＤＴＦ（ダイヤルトーン周波数）のうちの一つをランダムに選択して用いることにより、ユーザ端末の機能又は構成を変更することなく実現した。
【００２０】
以下に、実施例を図面により示し、それぞれについてその図面を参照し説明する。図面は本発明に係る部分のみが示され、本発明が必要とする部分でも、周知の機能部分で省略されているものがある。以下の説明は、実施態様であり、上記機能を満たす限りその構成の変更は自由なので、下記説明が本発明を限定するものではない。また、手順では本発明に係る正常動作について説明しており、異常動作については周知の種々な対応が可能なのでその説明は省略する。
【実施例１】
【００２１】
本発明の実施例１について図１から図7までを参照して説明する。
【００２２】
図１は、本発明の情報提供システムの実施の一形態をブロックで示す説明図である。
【００２３】
図示されるように、ユーザ端末１及び情報提供センター２は公衆網３と加入者回線４，５それぞれにより接続されているものとする。情報提供センター２は公衆網３との間を加入者回線でなく中継線、専用線などで接続されてもよい。個人情報の盗聴は、個人が利用するユーザ端末１と公衆網３とを接続する加入者回線４において発生することが多い。従って、盗聴回避のため、加入者回線４にＰＢ信号以外のＤＴＦを重畳することが有効である。
【００２４】
ユーザ端末１は、ＰＢ信号送信部１１及び可聴信号拡声部１２を有する。情報提供センター２は、擾乱信号形成送信部２１、送信信号記憶部２２、ＤＴＭＦ信号受信部２３、受信信号記憶部２４、ＰＢ信号検出部２５、演算結果記憶部２６、及びタイミング調整部３０を備える。
【００２５】
ユーザ端末１はＰＢダイヤルによるＤＴＭＦ信号（ＰＢ信号）の発信が可能な通常の電話機でよい。ＰＢ信号送信部１１は、ＰＢダイヤルを有し、ユーザの押しボタン操作により可聴信号によるＤＴＭＦ信号の発信が可能である。可聴信号拡声部１２は、例えば、送受話器の受話器、多機能電話機のスピーカであり、受信された可聴信号をユーザの聴覚に届ける。
【００２６】
図２はＰＢダイヤルによるＤＴＭＦの一覧を示す図である。図示されるように、低域群周波数は、６９７Ｈz・７７０Ｈz・８５２Ｈz・９４１Ｈzによる四つのＤＴＦであり、高域群周波数は、１２０９Ｈz・１３３６Ｈz・１４７７Ｈz・１６３３Ｈzによる四つのＤＴＦである。ＰＢ信号は、一つの低域群周波数と一つの高域群周波数との組合せであり、例えば番号数字「１」のＰＢ信号は二つのＤＴＦ「６９７Ｈz ＋１２０９Ｈz」により形成される。
【００２７】
情報提供センター２は、全体をプログラム制御するプロセッサ、機能ごとにプログラム制御するマイクロプロセッサ、メモリ、及びその周辺装置などを有する情報処理システムである。図１の情報提供センター２は、ユーザと電話回線で接続され、ユーザから受けるＰＢ信号に基づく要求に従って情報を提供するものである。このため、暗証番号などの番号情報により送信要求のあったのちに、盗聴防止のための擾乱信号を送出する時点からＰＢ信号検出までに必要な機能ブロックが図示されている。情報提供センター２が提供する情報は、音声でも、ファクシミリデータでもよく、発呼電話機に付属する機器によるので、その種別は問わない。
【００２８】
擾乱信号形成送信部２１は、擾乱信号を形成してユーザ側への通話路へ送出する。擾乱信号は、図２に示される八つのＤＴＦの一つを乱数表に従って選定される。その詳細は後に図面を参照して説明する。また、擾乱信号形成送信部２１は、ＰＢ信号検出部２５からの停止通知により擾乱信号の送出を停止する。送信信号記憶部２２は、擾乱信号形成送信部２１が送出した擾乱信号を記憶する。ＤＴＭＦ信号受信部２３は、ユーザ側から通話路を介して送られるＰＢ信号をＤＴＭＦ信号により受ける。受信信号記憶部２４はＤＴＭＦ信号受信部２３で受けたＤＴＭＦ信号を記憶する。
【００２９】
ＰＢ信号検出部２５は、ＤＴＭＦ信号受信部２３で受けたＤＴＭＦ信号から、回り込みにより重畳された擾乱信号の除去演算を実行してＰＢ信号を検出する。従って、ＰＢ信号検出部２５は、送信信号記憶部２２に記憶された擾乱信号のＤＴＦと受信信号記憶部２４に記憶されたＤＴＭＦとを比較し、受信信号記憶部２４のＤＴＭＦから送信信号記憶部２２のＤＴＦパターンに基づき、ＰＢ信号を抽出する。ＰＢ信号検出部２５は、ＰＢ信号の検出で、所定の番号符号が得られた際には、擾乱信号形成送信部２１に擾乱信号の送出停止を通知する。演算結果記憶部２６は、ＰＢ信号検出部２５の演算結果をＰＢ信号として記憶する。
【００３０】
タイミング調整部３０は、システム内の時間管理機能を有し、特に情報提供センター２の構成要素それぞれのタイミングを調整する。また、本実施例では擾乱信号等に利用する基本クロックに基づく固定時間長のタイムスロットを生成する。このタイムスロットは、基本クロックをそのまま利用してもよい。
【００３１】
図３は、擾乱信号形成送信部２１の実施の一形態を機能ブロックで示す図である。図示される擾乱信号形成送信部２１は、ＤＴＦ用乱数発生部３１、ＤＴＦ選択部３２、信号幅用乱数発生部３３、信号幅設定部３４、ＤＴＦ信号生成部３５、信号間隔用乱数発生部３６、信号間隔設定部３７、及び擾乱信号送信部３８を有する。
【００３２】
ＤＴＦ用乱数発生部３１は、擾乱信号として送出する一つのＤＴＦをランダムに選定する乱数を発生する。ＤＴＦ選択部３２はＤＴＦ用乱数発生部３１から出力される乱数により八つのＤＴＦの中から一つを選択する。信号幅用乱数発生部３３は擾乱信号幅、すなわち信号長をランダムに設定する乱数を発生する。信号幅設定部３４は信号幅用乱数発生部３３から出力される乱数により所定の信号幅を設定する。本実施例では、信号幅として上記タイムスロットの数を設定するものとする。これにより少ない数の乱数出力で信号幅の設定が可能である。ＤＴＦ信号生成部３５は、ＤＴＦ選択部３２で選択された一つのＤＴＦを、信号幅設定部３４で設定された信号幅に形成し、擾乱信号送信部３８に送る。
【００３３】
信号間隔用乱数発生部３６は擾乱信号間隔をランダムに設定する乱数を発生する。信号間隔設定部３７は信号間隔用乱数発生部３６から出力される乱数により所定の信号間隔を設定する。本実施例では、信号間隔を「ゼロ」として信号間隔用乱数発生部３６の配備を省略する。擾乱信号送信部３８は、ＤＴＦ信号生成部３５により生成されたＤＴＦ信号を信号間隔設定部３７により設定された信号間隔で順次送出する。本実施例では、信号間隔設定部３７での設定が「ゼロ」のため、擾乱信号のＤＴＦ信号は連続送出される。
【００３４】
図４は、擾乱信号送信部３８から擾乱信号として送出されるＤＴＦ信号のパターンの実施の一態様を示す。図示される場合、ＤＴＦ信号は「９４１Ｈz・８５２Ｈz・６９７Ｈz・８５２Ｈz・〜」であり、信号幅は、タイムスロット幅の「２倍・１倍・１倍・４倍・〜」の幅を有し、それぞれの信号は連続送出される。
【００３５】
図５には、図１においてユーザが可聴信号による擾乱信号を可聴信号拡声部１２で聴取した後のタイミングで、ＰＢ信号送信部１１から例えば暗証番号として番号情報「１５９Ｄ」をプッシュ操作した場合の実施の一形態が示されている。このＤＴＭＦ信号は、ユーザのＰＢダイヤル操作によるので、周波数種別、信号幅（信号長）、信号間隔、及びその位置は特定できない。
【００３６】
図６では、図４及び図５それぞれの信号が重畳された場合の加入者回線４，５における可聴信号伝送状態がタイムチャートに示されている。すなわち、ユーザが図４に示されるようなＤＴＦによる擾乱信号の開始を可聴信号拡声部１２で聴取した後、ＰＢ信号送信部１１から番号情報「１５９Ｄ」をＰＢダイヤル操作した場合の状態が示されている。このように、ＰＢ信号の二つのＤＴＦと擾乱信号の一つＤＴＦとの三つの可聴周波数が重畳されるので、これを盗聴してその中から二つのＤＴＭＦによるＰＢ信号を抽出することは困難である。
【００３７】
一方、情報提供センター２では、ＤＴＭＦ信号受信部２３がユーザ端末１からＰＢ信号を受けるが、送出する擾乱信号の回り込みは避けられない。従って、上述したように、ＰＢ信号検出部２５が図６に示されるＤＴＦパターンから図４に示される擾乱信号を除去して、図５に示される純粋なＰＢダイヤルによるＤＴＭＦ信号を抽出している。
【００３８】
次に、図7及び図８を併せ参照して、ＰＢ信号によるＤＴＭＦと擾乱信号のＤＴＦとが重なり合った場合について説明する。図では、信号の重なり合った部分のタイムスロットを二重箇所としてマークしてある。この部分は低域群周波数及び高域群周波数それぞれ一つずつで二つのＤＴＦが存在するので盗聴でＰＢダイヤルの判定が可能である。しかし、ＰＢ信号での番号符号「Ｄ」のようにＤＴＦ幅が擾乱信号のＤＴＦ幅より大きい場合、二つの番号符号「Ｄ」が連続するパターンとなる。
【００３９】
図1のＰＢ信号検出部では、図7の信号パターから擾乱信号を除去する際、擾乱信号は低域群か高域群のいずれか一方の周波数のため、いずれか一方のみが存在するＰＢ信号に対しては削除分のタイムスロットに対応する擾乱信号部分を復元するという演算が行われる。この演算により、図示される番号符号「５」のように、擾乱信号の削除によりＰＢ信号の一方のＤＴＦ「１３３６Ｈz」が消去されるような状況でも、確実にＰＢ信号を検出することができる。
【００４０】
次に、図９に図１から図８までを併せ参照して図１の情報提供センター２における主要動作手順について説明する。
【００４１】
情報提供センター２は、ユーザ端末１から情報の提供を要求する着呼を受付け（手順Ｓ１）する。情報提供センター２では、例えば電話番号又は着呼回線に基づきユーザに提供する情報種別がわかる。従って、情報提供センター２は、発呼のユーザ端末１に対して、例えば「ピーポーとの音が聞こえましたら会員番号をお願いします。」との送信要求の音声案内を送出（手順Ｓ２）すると共に擾乱信号形成送信部２１で擾乱信号を形成して、音声案内終了後に発呼のユーザ端末１へ送出（手順Ｓ３）する。上述したように、ＤＴＭＦ信号受信部２３は、回り込みによる擾乱信号を受信する。ＤＴＭＦ信号受信部２３がＰＢダイヤルによるＤＴＭＦ信号受信（手順Ｓ４のＹＥＳ）の際には、ＰＢ信号検出部２５が低域群及び高域群それぞれ一つずつのＤＴＦを選択して残りのＤＴＦを削除することによりＰＢダイヤル番号符号を検出（手順Ｓ５）する。
【００４２】
ここで、会員番号が例えば８桁に統一されているとすれば、受けた８桁を会員登録番号表で検索し、検出された番号情報が予め登録された会員番号に一致（手順Ｓ６のＹＥＳ）の際には、会員番号の認証（手順Ｓ７）を終了し、擾乱信号形成送信部２１に通知して擾乱信号の送出を停止（手順Ｓ８）する。上記手順Ｓ６が「ＮＯ」で検出された番号情報が会員番号桁数に不足（手順Ｓ９のＹＥＳ）の場合、手順は上記手順Ｓ４に戻り、その桁数に達するまで繰り返される。上記手順Ｓ９が「ＮＯ」で番号情報の桁数に達している場合にはその会員番号が登録されていないので、例えば、再送等の所定処理（手順Ｓ１０）が実行される。
【００４３】
次いで、例えば、会員番号から暗証番号が検索された場合、上記手順Ｓ１から暗証番号認証の手順が繰り返される。暗証番号の場合、上記手順Ｓ６では、最初の番号から番号情報の一致／不一致が判定される。この場合、手順Ｓ９は飛ばされて直ちに手順Ｓ１０による再送等の所定処理が実行される。
【００４４】
上述したような構成を有するので、本発明による情報提供システムは、ＤＴＦを単純な擾乱信号に形成して通話路に供給して盗聴を防止できる上、回り込みにより重畳される擾乱信号を除去する際でも確実にＰＢ信号を検出できるという効果がある。
【実施例２】
【００４５】
本発明の実施例２について図１０から図１２までに図１を併せ参照して説明する。上記実施例との相違は、情報提供センター２Ａにおける擾乱信号形成送信部２１ＡとＰＢ信号検出部２５Ａとにある。
【００４６】
図１０の情報提供センター２Ａでは、擾乱信号形成送信部２１ＡがＰＢ信号検出部２５Ａから通知を受けるＰＢ信号の信号幅により擾乱信号の信号幅を設定している。従って、上記実施例１で説明があった擾乱信号幅のランダム設定機能は不要となる。ＰＢ信号検出部２５Ａは、擾乱信号形成送信部２１Ａに、擾乱信号送出停止通知のほか、ＰＢ信号を検出の都度、その信号幅を計測して通知している。
【００４７】
図１１は、ＰＢ信号として番号符号「１５９Ｄ」を受信した際の擾乱信号重畳パターンを示す。すなわち、擾乱信号形成送信部２１Ａは、ＰＢ信号検出部２５Ａから番号符号「１」を受信した際には、そのＰＢ信号と同一の信号幅により擾乱信号を連続送出し、次の番号符号「５」を受信した際には、そのＰＢ信号幅により擾乱信号を連続送出している。
【００４８】
次に、図１２に図１０及び図１１を併せ図１２の情報提供センター２Ａにおける主要動作手順について説明する。
【００４９】
情報提供センター２Ａは、ユーザ端末１から情報提供を要求する着呼を受付け（手順Ｓ１１）する。情報提供センター２Ａでは、例えば受けた電話番号又は着呼回線により提供する情報種別がわかる。従って、情報提供センター２Ａは、発呼のユーザ端末１に対して、例えば番号情報が会員番号の場合「登録の会員番号のダイヤルをお願いします。」との送信要求の音声案内を送出（手順Ｓ１２）すると共にＤＴＭＦ信号受信部２３でＰＢダイヤルによるＤＴＭＦ信号を待つ。ＤＴＭＦ信号受信部２３でＤＴＭＦ信号を受付けした際には、ＰＢ信号検出部２５Ａが受信信号記憶部２４からＰＢ信号を検出（手順Ｓ１３）する。この場合、ＰＢ信号検出部２５Ａは、検出したＰＢ信号の信号幅を計測して擾乱信号形成送信部２１へ通知（手順Ｓ１４）する。擾乱信号形成送信部２１は、受けた信号幅と同一幅のＤＴＦ信号を擾乱信号に形成して通話路へ送出（手順Ｓ１５）する。
【００５０】
ＤＴＭＦ信号受信部２３が次のＤＴＭＦ信号を受付け（手順Ｓ１６）の際には、ＰＢ信号検出部２５Ａが低域群及び高域群それぞれ一つずつのＤＴＦを選択して残りを擾乱信号で削除する演算により次のＰＢ信号による番号符号を検出（手順Ｓ１７）する。
【００５１】
ここで、会員番号が例えば８桁に統一されているとすれば、ＰＢ信号検出部２５Ａは、受けた８桁を会員登録番号表で検索し、検出された番号符号が予め登録された会員番号に一致（手順Ｓ１８のＹＥＳ）の際には、会員番号の認証（手順Ｓ１９）を終了し、擾乱信号形成送信部２１Ａに通知して擾乱信号の送出を停止（手順Ｓ２０）する。上記手順Ｓ１８が「ＮＯ」で検出された番号符号が会員番号桁数に不足（手順Ｓ２１のＹＥＳ）の場合、手順は、上記手順Ｓ１４に戻って、その桁数に達するまで繰り返される。上記手順Ｓ２１が「ＮＯ」で番号情報の桁数に達している場合には例えば、再送等の所定処理（手順Ｓ２２）が実行される。
【００５２】
次いで、例えば、会員番号から暗証番号が検索された場合、上記手順Ｓ１１から暗証番号認証の手順が繰り返される。暗証番号の場合、上記手順Ｓ１８では、第２番号から番号情報の一致／不一致が判定される。この場合、手順Ｓ２１は飛ばされて直ちに手順Ｓ２２による再送等の所定処理が実行される。
【００５３】
上述したような構成を有するので、本実施例による情報提供システムは、ＤＴＦの信号幅設定を更に単純化して擾乱信号に形成しても、通話路に供給して盗聴を防止できる上、回り込みにより重畳される擾乱信号を除去する際でも確実にＰＢ信号を検出できるという効果がある。
【００５４】
本実施例では、ＰＢ信号受付けの都度、擾乱信号の信号幅を切り替えるように説明したが、最初の信号幅設定以降、同一の擾乱信号幅に設定することにより更に信号幅設定と共にその回路構成を簡略化することができる。
【産業上の利用可能性】
【００５５】
低域群及び高域群の八つのＤＴＦの中の一つを用いて擾乱信号を容易に形成でき、かつその擾乱信号の回り込みがあった場合、低域群及び高域群それぞれから一つずつのＤＴＭＦによるＰＢダイヤル信号が確実に検出できるので、ＰＢダイヤルのＤＴＭＦにより転送されるデータを簡単で確実に暗号化する用途に、広く適用できる。
【図面の簡単な説明】
【００５６】
【図１】本発明によるＰＢダイヤルの盗聴防止システムの実施の一形態をブロックで示した説明図である。（実施例１）
【図２】ＰＢダイヤルによるＤＴＭＦと本発明における擾乱信号に利用されるＤＴＦとを定義する説明図である。
【図３】図１における擾乱信号形成送信部の実施の一形態をブロックで示した説明図である。（実施例１）
【図４】本発明による擾乱信号形成送信部が形成送信する擾乱信号の信号パターンの実施の一形態をタイムチャートで示した説明図である。（実施例１）
【図５】本実施例を説明するためのＰＢ信号パターンの実施の一形態をタイムチャートで示した説明図である。（実施例１）
【図６】本発明による図４の擾乱信号パターンと図５のＰＢ信号パターンとが重畳された信号パターンをタイムチャートで示した説明図である。（実施例１）
【図７】図６とは異なる本発明による擾乱信号パターンとＰＢ信号パターンとが重畳された信号パターンで、重なり合った信号部分を含む場合のパターンの実施の一形態をタイムチャートで示した説明図である。（実施例１）
【図８】図７において、重畳された信号パターンから擾乱信号パターンを削除の際に演算されるＰＢ信号パターンの重なり合った信号部分をタイムチャートに示した説明図である。（実施例１）
【図９】図１によるＰＢダイヤルに対する盗聴防止システムの実施態様における主要動作の一形態をフローチャートで示した説明図である。（実施例１）
【図１０】本発明による上記図１とは異なるＰＢダイヤルの盗聴防止システムにおける情報提供センターの実施の一形態をブロックで示した説明図である。（実施例２）
【図１１】上述とは異なる本発明による擾乱信号パターンとＰＢ信号パターンとが重畳された信号パターンの実施の一形態をタイムチャートで示した説明図である。（実施例２）
【図１２】図１０によるＰＢダイヤルに対する盗聴防止システムの実施態様における主要動作の一形態をフローチャートで示した説明図である。（実施例２）
【図１３】従来のＰＢダイヤル盗聴防止システムにおける情報提供センターの一例をブロックで示した図である。
【図１４】図１３によるＰＢダイヤル盗聴防止システムにおける情報提供センターの主要動作の一例をフローチャートで示した図である。
【符号の説明】
【００５７】
１    ユーザ端末
２    情報提供センター
３    公衆網
４、５    加入者回線
１１    ＰＢ信号送信部
１２    可聴信号拡声部
２１、２１Ａ    擾乱信号形成送信部
２２    送信信号記憶部
２３    ＤＴＭＦ信号受信部
２４    受信信号記憶部
２５、２５Ａ    ＰＢ信号検出部
２６    演算結果記憶部
３０    タイミング調整部
３１    ＤＴＦ用乱数発生部
３２    ＤＴＦ選択部
３３    信号幅用乱数発生部
３４    信号幅設定部
３５    ＤＴＦ信号生成部
３６    信号間隔用乱数発生部
３７    信号間隔設定部
３８    擾乱信号送信部
【図１】
0004719062.tif 000002
【図２】
0004719062.tif 000003
【図３】
0004719062.tif 000004
【図４】
0004719062.tif 000005
【図５】
0004719062.tif 000006
【図６】
0004719062.tif 000007
【図７】
0004719062.tif 000008
【図８】
0004719062.tif 000009
【図９】
0004719062.tif 000010
【図１０】
0004719062.tif 000011
【図１１】
0004719062.tif 000012
【図１２】
0004719062.tif 000013
【図１３】
0004719062.tif 000014
【図１４】
0004719062.tif 000015